(57)【要約】  実質的に立方体形状のフレームと、当該フレームの少なくとも１つの側面上でエクササイズ運動を行うための手段とを備える、多数のエクササイズ運動を可能にするためのエクササイズ装置。【選択図】図１ａ
2020506781.tif 000002
【特許請求の範囲】
【請求項１】
多数のエクササイズ運動を可能にするためのエクササイズ装置であって、前記装置は、
−実質的に立方体形状のフレームと、
−前記フレームの少なくとも１つの側面上でエクササイズ運動を行うための手段と、
を備える、エクササイズ装置。
【請求項２】
複数の棒が、少なくとも部分的に前記フレームのエッジを形成している、請求項１に記載のエクササイズ装置。
【請求項３】
前記装置は、異なるエクササイズ運動のために前記フレームの少なくとも２つの側面上に異なる手段を備える、何れかの先行する請求項に記載のエクササイズ装置。
【請求項４】
前記立方体形状のフレームは固定されたフレームである、何れかの先行する請求項に記載のエクササイズ装置。
【請求項５】
前記立方体形状のフレームは、前記フレームの少なくとも２つの側面に対して回転可能であり、前記フレームの少なくとも２つの側面上でエクササイズ運動を行うことを可能にする、何れかの先行する請求項に記載のエクササイズ装置。
【請求項６】
前記フレームの１つの側面上にある前記手段のうちの少なくとも１つは、腕立て伏せおよび／またはディップ運動などのエクササイズ運動のためにロッドの把持を可能にするための少なくとも２つのロッドを備える、何れかの先行する請求項に記載のエクササイズ装置。
【請求項７】
前記ロッドは、二頭筋、三頭筋および／または肩の運動などの前記ロッドによるエクササイズ運動を可能にするために取り付け可能／取り外し可能である、請求項６に記載のエクササイズ装置。
【請求項８】
前記フレームの少なくとも１つの側面上にある前記手段のうちの少なくとも１つは、足踏みエクササイズ運動のためのステッパーを備える、何れかの先行する請求項に記載のエクササイズ装置。
【請求項９】
前記フレームの１つの側面上にある前記手段のうちの少なくとも１つは、ツイストエクササイズ運動のためのツイストボードを備える、何れかの先行する請求項に記載のエクササイズ装置。
【請求項１０】
前記フレームの少なくとも１つの側面は、プライオメトリックエクササイズのための平坦な表面を備える、何れかの先行する請求項に記載のエクササイズ装置。
【請求項１１】
前記平坦な表面は取り付け可能／取り外し可能であり、前記平坦な表面は、それをバランスボードとして使用することができるように湾曲した下部を備える、請求項１０に記載のエクササイズ装置。
【請求項１２】
前記エクササイズ装置は、前記エクササイズ装置を踏台またはサイドテーブルなどの家具として使用することができるようにカバーを備える、何れかの先行する請求項に記載のエクササイズ装置。
【請求項１３】
前記カバーはテキスタイル／ファブリックで作られている、請求項１２に記載のエクササイズ装置。
【発明の詳細な説明】
【技術分野】
【０００１】
一般に本発明はエクササイズ器具に関する。特に本発明は、多数のエクササイズ運動を可能にするエクササイズ装置に関する。
【背景技術】
【０００２】
エクササイズやフィットネスはかなりのトレンドになっている。特定の運動形態である高強度インターバルトレーニング、すなわちＨＩＩＴもポピュラーになっている。その考えは、心拍数を急激に上昇させるエクササイズに取り組むというものである。そのようなエクササイズは通常、短時間の高強度のワークアウトと低強度のワークアウトとを組み合わせてインターバルを挟んで行われる。ＨＩＩＴワークアウトは短時間（例えば３０分未満）で効率的なワークアウトを行うことができるためポピュラーになった。
【０００３】
現在では、多種多様な異なるエクササイズ装置が存在する。自宅およびジムで使用するためのいくつかの異なるエクササイズ装置が存在する。自宅で使用するための装置は過剰な収納スペースを占めないように小型にする必要がある。しかし、大部分の装置は現在のところ大きくて邪魔であり、自宅において多くの（収納）スペースを必要とする。
【０００４】
自宅で運動する人が直面する別の問題は、自宅で使用するための装置は１つの単一の運動のためのエクササイズしか提供しないことが多いという点である。ステッパー装置により足踏みエクササイズなどに取り組むことができ、バランスボードによりバランシングエクササイズが可能になり、腕立て伏せスタンドにより腕立て伏せエクササイズのみが可能になる。
【０００５】
他方で、自宅で運動する人が多くの異なる種類のエクササイズ器具を手に入れれば、彼／彼女は、結果的に自宅で多くのスペースを占める多くの異なる装置を有することになる。また、多くの異なるエクササイズ装置を購入することは自宅で運動する人にとってお金がかかることにもなり得る。
【０００６】
現在のところ、使用者／運動する人が多数の異なるエクササイズ運動に取り込むことを同時に可能にする実現可能な小型の解決法は存在しない。
【発明の概要】
【０００７】
本目的は、公知の構成によって十分に解決されていない上に記載されている問題を少なくとも軽減し、かつ１つの装置により多数のエクササイズ運動を可能にする実現可能なエクササイズ装置を提供することにある。別の目的は小型のエクササイズ装置を提供することにある。３つ目の目的は、効率的な（ＨＩＩＴ）ワークアウトを可能にするエクササイズ装置を提供することにある。
【０００８】
上記目的は本発明に係るエクササイズ装置の実施形態によって達成される。
【０００９】
上記目的は請求項１に請求されている発明に従って達成される。
【００１０】
従って本発明の一態様では、多数のエクササイズ運動を可能にするためのエクササイズ装置は、
−実質的に立方体形状のフレームと、
−当該フレームの少なくとも１つの側面上でエクササイズ運動を行うための手段と、
を備える。
【００１１】
一実施形態では、複数の棒が、少なくとも部分的に当該フレームのエッジを形成している。
【００１２】
別の、補足的または代替的のどちらかの実施形態では、本装置は、異なるエクササイズ運動のために当該フレームの少なくとも２つの側面上に異なる手段を備える。いくつかの実施形態では、本装置は、異なるエクササイズ運動のために本装置の側面上に少なくとも３つまたは４つの異なる手段を備える。
【００１３】
さらなる、補足的または代替的のどちらかの実施形態では、当該立方体形状のフレームは固定されたフレームである。
【００１４】
さらなる、補足的または代替的のどちらかの実施形態では、当該立方体形状のフレームは、当該フレームの少なくとも２つの側面に対して回転可能であり、当該フレームの少なくとも２つの側面上でエクササイズ運動を行うことを可能にする。
【００１５】
さらなる、補足的または代替的のどちらかの実施形態では、当該フレームの１つの側面上にある手段のうちの少なくとも１つは、腕立て伏せおよび／またはディップ運動などのエクササイズ運動のためにロッドの把持を可能にするための少なくとも２つのロッドを備える。
【００１６】
さらなる、補足的または代替的のどちらかの実施形態では、当該ロッドは、二頭筋、三頭筋および／または肩の運動などの当該ロッドによるエクササイズ運動を可能にするために取り付け可能／取り外し可能である。
【００１７】
さらなる、補足的または代替的のどちらかの実施形態では、当該フレームの１つの側面上にある手段のうちの少なくとも１つは、足踏みエクササイズ運動のためのステッパーを備える。
【００１８】
さらなる、補足的または代替的のどちらかの実施形態では、当該フレームの１つの側面上にある手段のうちの少なくとも１つは、ツイストエクササイズ運動のためのツイストボードを備える。
【００１９】
さらなる、補足的または代替的のどちらかの実施形態では、当該フレームの少なくとも１つの側面は、プライオメトリックエクササイズのための平坦な表面を備える。
【００２０】
さらなる、補足的または代替的のどちらかの実施形態では、当該平坦な表面は取り付け可能／取り外し可能であり、当該平坦な表面はそれをバランスボードとして使用することができるように湾曲した下部を備える。
【００２１】
さらなる、補足的または代替的のどちらかの実施形態では、本エクササイズ装置は、エクササイズ装置を踏台またはサイドテーブルなどの家具として使用することができるようにカバーを備える。一実施形態では、当該カバーはファブリック／テキスタイルで作られている。
【００２２】
本発明の有用性は、各特定の実施形態に応じて複数の要因から得られる。本装置は、１つの単一の装置により多数の異なるエクササイズ運動を可能にしてもよい。本装置は小型のスペースを節約する解決法であってもよい。本装置はお金を節約する解決法であってもよい。本装置は効率的な高強度インターバルトレーニング（ＨＩＩＴ）を可能にしてもよい。本装置は耐久性すなわち激しい使用に耐えるものであってもよい。
【００２３】
「いくつかの」という表現は、本明細書では一（１）から開始する任意の正の整数、例えば１、２または３を指す。
【００２４】
「複数の」および「多数の」という表現は、本明細書では二（２）から開始する任意の正の整数、例えば２、３または４を指す。
【００２５】
本発明の異なる実施形態が従属請求項に開示されている。
【００２６】
次に、本発明は、添付の図面を参照してより詳細に説明されている。
【図面の簡単な説明】
【００２７】
【図１ａ】本発明に係るエクササイズ装置の一実施形態の等角図を例解する。
【図１ｂ】本発明に係るエクササイズ装置の一実施形態の別の等角図を例解する。
【図２ａ】本発明に係るエクササイズ装置の一実施形態の正面図を例解する。
【図２ｂ】本発明に係るエクササイズ装置の一実施形態の背面図を例解する。
【図２ｃ】本発明に係るエクササイズ装置の一実施形態の上面図を例解する。
【図２ｄ】本発明に係るエクササイズ装置の一実施形態の底面図を例解する。
【図２ｅ】本発明に係るエクササイズ装置の一実施形態の左側面図を例解する。
【図２ｆ】本発明に係るエクササイズ装置の一実施形態の右側面図を例解する。
【発明を実施するための形態】
【００２８】
図１ａおよび図１ｂを参照すると、エクササイズ装置１００は、実質的に立方体形状のフレーム１０２を備える。好ましくは、フレーム１０２は立方体形状である。但し、代替的な実施形態では、当該フレームは立方形状から逸脱していてもよい。例えば、立方体の１つの側面はそれ以外の側面よりも小さくてもよく、あるいは２つの側面が傾いていてもよく、それによって当該形状は完全な立方形状から逸脱している。
【００２９】
「実質的に立方体形状のフレーム」という表現は、本明細書であらゆる六面体（すなわち、６つの面を備える多面体）を指し、ここでは各面が四辺形（すなわち、４つのエッジを有する多角形）であり、かつ２つのエッジ間の角度は好ましくは７０°超であって１１０°未満、より好ましくは９０°超であって１００°未満、最も好ましくは８５°超であって９５°未満（四辺形内で測定）である。当該フレームの１つのエッジは好ましくは１５〜１００ｃｍ、より好ましくは２０〜７０ｃｍ、最も好ましくは２５〜５０ｃｍである。
【００３０】
フレーム１０２は、当該フレームの立方形状を形成する複数の棒１０３を備える。当該棒は、好ましくはプラスチックである。代替的には、当該棒は鋼または他の硬質材料である。棒１０３は好ましくは少なくとも部分的に当該立方体形状のフレームのエッジを形成している。当該フレーム構造は、当該構造を強化させるため、および／または取り付く手段１０４ａ、１０４ｂ、１０４ｃのために、当該フレーム内に棒および／またはプレートなどのさらなる支持構造を備える。当該フレーム内の棒および／またはプレートは、当該立方体形状のフレームを形成している棒に結合していてもよい。
【００３１】
エクササイズ装置１００は、当該フレームの側面上に、本装置により異なるエクササイズ運動を可能にする手段１０４ａ、１０４ｂ、１０４ｃを備える。当該手段のそれぞれが、使用者が本装置によりエクササイズ運動を行うのを可能にする機能性を提供する。異なる手段１０４ａ、１０４ｂ、１０４ｃを運動のために使用することができるように、フレーム１０４を異なる側面まで回転させてもよい。
【００３２】
装置１００の１つの側面は、本装置により足踏み運動エクササイズを可能にするためのステッパー１０６を備える。当該ステッパーの背面は図２ａに見ることができ、当該ステッパーの上面は図２ｃに見ることができる。当該ステッパーの前部１０８はフレーム１０２に取り付けられている。当該フレームの棒１０３のうちの１つは、例えば足踏み運動のための余地を許容するために当該ステッパーの背面上では省略されていてもよい。
【００３３】
装置１００の１つの側面は、使用者が例えばロッドの周りを把持して当該ロッドにより腕立て伏せまたはディップを行うことができるように、２つのロッド１１２ａ、１１２ｂを備える。また、当該ロッドを三頭筋、二頭筋および／または肩の運動などのエクササイズ運動のために別々に使用することができるように、当該ロッドは取り付け可能／取り外し可能であってもよい。当該ロッドは、１ｋｇまたは２ｋｇなどの重量を備え得る。ロッド１１２ａ、１１２ｂの上面図は図２ｄに例解されている。
【００３４】
装置１００の１つの側面は、ツイスト運動エクササイズのためのツイストボード１１４を備える。使用者は、ツイストボード上に立って自身の体を回転／ツイストさせることができる。チューブ部分がツイストボードの後ろから延在している。当該チューブ部分は、ツイストボードが回転することができるようにロッド上に配置されている。ツイストボードの上面図は図２ｅに例解されている。
【００３５】
装置１００の１つの側面は、本装置上への踏み込みおよび／またはジャンプなどの本装置によりプライオメトリックエクササイズを可能にするための平坦な表面１１６を備える。平坦な表面１１６は、湾曲した下部１１８を備える。当該平坦な表面は、当該表面をバランスボードとして別々に使用することができるように取り付け可能／取り外し可能である。平坦な表面１１６は図２ｂにも例解されている。
【００３６】
図２ｆは、本エクササイズ装置のカバー側を例解する。
【００３７】
当業者によって理解されるように、エクササイズ運動を行うための手段は、いくつかの実施形態では本開示において提供されているものを逸脱することがある。本開示において提供されている手段、主にステッパー、ロッド、ツイストボードおよび平坦な表面は、例示的であって限定的ではない実施形態として提示されている。
【００３８】
従って、当業者は、本開示および一般的知識に基づいて、必要な修正、削除および追加を有する各特定の使用事例において、添付の特許請求の範囲によって定められている本発明の範囲を実施するために提供されている教示を適用する。
【図１ａ】
2020506781.tif 000003
【図１ｂ】
2020506781.tif 000004
【図２ａ】
2020506781.tif 000005
【図２ｂ】
2020506781.tif 000006
【図２ｃ】
2020506781.tif 000007
【図２ｄ】
2020506781.tif 000008
【図２ｅ】
2020506781.tif 000009
【図２ｆ】
2020506781.tif 000010
【国際調査報告】
2020506781.tif 000011
2020506781.tif 000012
2020506781.tif 000013